(57)【要約】【課題】補強片の位置に関わらず設置することが可能であって、かつ、作業効率の低下を抑えることができる足場装置を提供する。【解決手段】  足場装置１は、消波ブロック成形用型枠３の周囲に設置することができる。足場装置１は、第１足場１０と第２足場２０とを備える。第１足場１０は一対の支柱１１と一対の支柱１１の間に延びる複数の第１踏桟１２とを含む。支柱１１には、可撓性を有する紐状部材１５が取付具１６を介して取り付けられ、紐状部材１５にはフック１７が連結される。第１足場１０を用いた作業の後、さらに上部での作業をおこなう際には第２足場２０を用いる。第２足場２０は、一対の梯子部材２１と、梯子部材２１の間に延びるとともにこれらを連結する可撓性の連結部材２２とを含む。【選択図】図１
2019019578.tif 000002
【特許請求の範囲】
【請求項１】
一対の支柱と、一方の前記支柱から他方の前記支柱へと延びる複数の第１踏桟とを含む第１足場を備え、
前記支柱は、上端部および下端部を有し、前記上端部に設けられるとともに消波ブロック成形用型枠のフランジに嵌合可能な嵌合部と、紐状部材を介して連結されたフックとをさらに備えることを特徴とする足場装置。
【請求項２】
前記支柱の前記上端部には、踏板をさらに備え、
前記踏板は、前記支柱に隣接する近位縁とこれに対向する遠位縁とを備え、
前記遠位縁には、凹部を設けることを特徴とする請求項１記載の足場装置。
【請求項３】
一対の梯子部材と、前記梯子部材を互いに連結する可撓性の連結部材とを含む第２足場を備え、
前記梯子部材は、互いに対向する内側支柱および外側支柱と、前記内側支柱から前記外側支柱へと延びる複数の第２踏桟とを備え、
前記第２踏桟は、前記外側支柱および前記内側支柱に対して傾斜することを特徴とする足場装置。
【請求項４】
一対の前記梯子部材は、前記外側支柱の外側に突出するストッパをさらに備えることを特徴とする請求項３記載の足場装置。
【請求項５】
一対の支柱および一方の前記支柱から他方の前記支柱へと延びる複数の第１踏桟を含む第１足場と、一対の梯子部材および前記梯子部材を互いに連結する可撓性の連結部材を含む第２足場とを備え、
前記支柱は、上端部および下端部を有し、前記上端部に設けられるとともに消波ブロック成形用型枠のフランジに嵌合可能な嵌合部と、紐状部材を介して連結されたフックとをさらに備え、
前記梯子部材は、互いに対向する内側支柱および外側支柱と、前記内側支柱から前記外側支柱へと延びる複数の第２踏桟とを備え、
前記第２踏桟は、前記外側支柱および前記内側支柱に対して傾斜することを特徴とする足場装置。
【発明の詳細な説明】
【技術分野】
【０００１】
この発明は、構造物の建設工事等に用いる足場装置であって、特に消波ブロック成形用型枠に取付ける足場装置に関する。
【背景技術】
【０００２】
従来、消波ブロック成形用型枠に取付可能な足場装置が知られる。消波ブロック成形用型枠は複数の型枠片に分割されており、これを組み立てることにより型枠全体を構成する。組み立てられた消波ブロック成形用型枠にコンクリートを充填し、コンクリートが固まったのち、型枠を分解して外すことによって消波ブロックを形成する。型枠片には、組立フランジが設けられ、隣接する型枠片の組立フランジを互いに当接させるとともに、当接した組立フランジを互いに固定部材で固定して、型枠を構成する。足場装置は、固定部材を取付けるとき、または固定部材を外すときに必要である。
【先行技術文献】
【特許文献】
【０００３】
【特許文献１】特許第３９２７５５４号公報
【発明の概要】
【発明が解決しようとする課題】
【０００４】
型枠には、組立フランジから起立する複数の補強片が設けられる。特許文献１に記載された足場装置は、型枠の補強片に固定用棒部材を用いて固定する。したがって、補強片の位置によっては足場装置を取り付けることができない。また、足場装置の設置及び解体の際には、固定用棒部材の着脱が必須となり、作業効率が低下する。
【０００５】
この発明は、補強片の位置に関わらず設置することが可能であって、かつ、作業効率の低下を抑えることができる足場装置を提供することを課題とする。
【課題を解決するための手段】
【０００６】
この発明は、第１足場を備える第１の発明と、第２足場を備える第２の発明と、第１足場および第２足場を備える第３の発明とを含む。
第１の発明は、一対の支柱と、一方の前記支柱から他方の前記支柱へと延びる複数の第１踏桟とを含む第１足場を備え、前記支柱は、上端部および下端部を有し、前記上端部に設けられるとともに消波ブロック成形用型枠のフランジに嵌合可能な嵌合部と、紐状部材を介して連結されたフックとをさらに備えることを特徴とする。
【０００７】
第１の発明において、前記支柱の前記上端部には、踏板をさらに備え、前記踏板は、前記支柱に隣接する近位縁とこれに対向する遠位縁とを備え、前記遠位縁には、凹部を設ける。
【０００８】
第２の発明は、一対の梯子部材と、前記梯子部材を互いに連結する可撓性の連結部材とを含む第２足場を備え、前記梯子部材は、互いに対向する内側支柱および外側支柱と、前記内側支柱から前記外側支柱へと延びる複数の第２踏桟とを備え、前記第２踏桟は、前記外側支柱および前記内側支柱に対して傾斜することを特徴とする。
【０００９】
第２の発明において、一対の前記梯子部材は、前記外側支柱の外側に突出するストッパをさらに備える。
【００１０】
第３の発明は、一対の支柱および一方の前記支柱から他方の前記支柱へと延びる複数の第１踏桟を含む第１足場と、一対の梯子部材および前記梯子部材を互いに連結する可撓性の連結部材を含む第２足場とを備え、前記支柱は、上端部および下端部を有し、前記上端部に設けられるとともに消波ブロック成形用型枠のフランジに嵌合可能な嵌合部と、紐状部材を介して連結されたフックとをさらに備え、前記梯子部材は、互いに対向する内側支柱および外側支柱と、前記内側支柱から前記外側支柱へと延びる複数の第２踏桟とを備え、前記第２踏桟は、前記外側支柱および前記内側支柱に対して傾斜することを特徴とする。
【発明の効果】
【００１１】
この発明に係る足場装置によれば、消波ブロック成形用型枠の組立用フランジを利用して足場装置を設置することができる。したがって、補強片の有無や位置に関わらず足場装置を設置することができ、その設置が容易である。
【図面の簡単な説明】
【００１２】
【図１】この発明の実施形態に係る足場装置の使用状態の説明図。
【図２】足場装置の第１足場の正面図。
【図３】足場装置の第１足場の側面図。
【図４】踏板を図３上方から見たときの図。
【図５】足場装置の第２足場の斜視図。
【図６】この発明の実施形態に係る足場装置の他の使用状態の説明図。
【発明を実施するための形態】
【００１３】
図１および図２を参照すれば、足場装置１は、消波ブロック成形用型枠３の周囲に設置することができる。消波ブロック成形用型枠３は、複数のパーツから構成され、そのパーツを組み立てることによって型枠とすることができる。組み立てられた型枠の内部にコンクリートを充填するとともに、コンクリートの硬化後に型枠を外して消波ブロックを形成する。消波ブロック成形用型枠３は、パーツの組立時に互いを固定するための組立用フランジを備える。消波ブロックは、４つの略円柱体が組み合わされた形状を有し、消波ブロック成形用型枠３には、円柱体の周囲方向に延びる環状フランジ３１と、円柱体の高さ方向に延びる縦フランジ３２とを備える。環状フランジ３１および縦フランジ３２には複数の孔３３が形成され、二つのパーツの各フランジを対向させ、互いの孔３３を一致させるとともに、この孔３３に棒材３４を挿入することによってパーツを連結し固定する。足場装置１は、特に上方に位置する孔３３に棒材を挿入する際、または棒材を抜去する際に用いるものである。
【００１４】
足場装置１は、第１足場１０と第２足場２０とを備える。第１足場１０は、一対の支柱１１と一方の支柱１１から他方の支柱１１へと延びる複数の第１踏桟１２とを含む。図２〜４を参照すれば、支柱１１は、上端部１１ａおよび下端部１１ｂを有し、上端部１１ａには消波ブロック成形用型枠２の環状フランジ３１に嵌合可能な嵌合部を備える。より詳細には、支柱１１の上端部１１ａにおいて、支柱１１から起立する袖板１３と、一対の袖板１３に隣接する踏板１４が設けられる。袖板１３には、嵌合部１３ａが設けられ、この嵌合部１３ａに環状フランジ３１が嵌合される。嵌合部１３ａは、袖板１３の一部を切り欠くことによって形成される。支柱１１の下端部１１ｂを接地させるとともに、上端部１１ａの嵌合部１３ａを図面横方向に延びる環状フランジ３１に嵌合させることによって、第１足場１０が消波ブロック成形用型枠３から離れる方向に倒れないように取付けることができる。
【００１５】
踏板１４は、略矩形の板状部材からなり、支柱１１と接触する近位端１４ａおよびこれに対向する遠位端１４ｂと、袖板１３と接触する両側１４ｃとを備え、近位端１４ａの近傍において支柱１１とのなす角θは、９０度よりも大きい。この実施形態において角θは約１０５度である。遠位端１４ｂには、そのほぼ中央に凹部１４ｄを備える。凹部１４ｄに縦フランジ３２を挿入することができ、これによって、図１の横方向に倒れないように消波ブロック成形用型枠２に取付けることができる。
【００１６】
支柱１１には、可撓性を有する紐状部材１５が取付具１６を介して取り付けられ、紐状部材１５にはフック１７が連結される。フック１７は環状フランジ３１または縦フランジ３２に形成された孔３３に引っ掛けることができる。このようにフック１７を孔３３に引っ掛けることによって、第１足場１０を消波ブロック成形用型枠３に固定することができ、より一層第１足場１０の転倒を予防することができる。紐状部材１５は、取付具１６からフック１７までの長さを任意に変更することができ、第１足場１０を確実に消波ブロック成形用型枠２に接触させることができる。また、支柱１１には、フック１７の収納用リング１８が設けられ、フック１７の不使用時にこれを引っ掛けて収納することができる。
【００１７】
このように第１足場１０を設置することによって、これを登って消波ブロック成形用型枠３の上部へと安全に移動することができ、型枠上部に位置する孔３３に棒材３４を挿入することができる。第１足場１０は、嵌合部１３ａを環状フランジ３１に嵌合させ、凹部１４ｄを縦フランジ３２に挿入するだけで設置することができ、その設置の作業が容易である。また、フランジから突出する補強片３５の位置に関わらず設置が可能であり、作業性を考慮した任意の位置に設置することができる。
【００１８】
図１に示したように、第１足場１０を用いた作業の後、さらに上部での作業をおこなう際には第２足場２０を用いる。図５を参照すれば、第２足場２０は、一対の梯子部材２１と、これら梯子部材２１を互いに連結する可撓性の連結部材２２とを含む。梯子部材２１は、互いに対向する内側支柱２３および外側支柱２４と、これら内側支柱２３および外側支柱２４の間に延びる複数の第２踏桟２５とを備える。第２踏桟２５は、内側支柱２３および外側支柱２４に対して傾斜する。第２足場２０は、踏桟が外側支柱２４から内側支柱２３に向かって下がるように消波ブロック成形用型枠３に設置する。
【００１９】
連結部材２２は、その一端を一方の梯子部材２１の内側支柱２３に固定し、他端を他方の梯子部材２１の内側支柱２３に固定する。連結部材２２としては、例えば金属製のチェーンを用いることができる。第２足場２０は、連結部材２２が縦フランジ３２に重なって位置し、一対の梯子部材２１がその左右に離間するように設置する。連結部材２２が可撓性を有するので、これが縦フランジ３２に重なった場合でも、梯子部材２１は、消波ブロック成形用型枠３により広い面積で接触することができ、安定した設置状況を維持することができる。
【００２０】
梯子部材２１には、それぞれ外側支柱２４の外側に突出するストッパ２６をさらに備える。ストッパ２６は、外側支柱２４の外側に向かって突出するとともに、外側支柱２４の上端部２４ａおよび下端部２４ｂに設けられる。ストッパ２６は、環状フランジ３１から起立する補強片３５に当接し、梯子部材２１を支えることができる。したがって第２足場２０の横方向への移動を規制することができる。なお、第２足場２０は、ほぼ横倒しになった円柱体の消波ブロック成形用型枠３の側面に取付けられる。したがって、梯子部材２１が側面を滑り落ちるのを規制する必要がある。この実施形態によれば、ストッパ２６によってこの落下方向への移動を抑止することができる。
【００２１】
上記のように設置された第２足場２０において、作業者は、消波ブロック成形用型枠３に対向して四つん這いになり、一方の足を一方の梯子部材２１にのせ、他方の足を他方の梯子部材２１にのせる。第２踏桟２５は、作業者が完全に立ち上がるために機能するものではなく、滑り止めとして機能するものである。したがって、地面にほぼ水平な踏板である必要がなく、その奥行寸法も足先が引っかかる程度の大きさがあれば足りる。この実施形態において、第２踏桟２５は、奥行寸法が約２７ｍｍの踏面部２５ａと、踏面部２５ａから略直角に起立する起立部２５ｂとを備える。起立部２５ｂは、作業者の足が踏面部２５ａから滑るのを防止することができる。
【００２２】
第２足場２０は、消波ブロック成形用型枠３の表面に載置するだけでよいので、その設置が容易である。また、第２足場２０として軽量の金属等を用いることで容易に持ち運びが可能である。したがって、第２足場２０を持って第１足場１０を昇降することができ、この設置のために別途足場を組む必要がない。この第２足場２０を用いることによって、作業者はしゃがんで作業をおこなうことができ手元で孔３３に棒材３４を挿入することができる。したがって、その作業が容易であるとともに、無理な体制をとる必要がなく、安全に作業することができる。
【００２３】
図６に示したように、第２足場２０を用いて作業をした後、さらに上部の孔３３に棒材３４を挿入する際には、第１足場１０を消波ブロック成形用型枠３の上部に再び設置することができる。すなわち、消波ブロック成形用型枠３は図面上部に縦方向に延びる円柱体を有し、その側面に沿って第１足場１０を設置することができる。第１足場１０はその下端部１１ｂを円柱体の下方に位置する環状フランジ３１の上に載せ、その上端部１１ａの凹部１４ｄを縦フランジ３２に嵌合させる。第１足場１０は、第２足場２０にいる作業者が地面に載置されていたものを引き上げ、上部に移動させることによって、同一の第１足場１０を使いまわすことができる。
【００２４】
特に、消波ブロック成形用型枠２の上部において第１足場１０を設置する際には、フック１７を型枠に係合することが望ましい。フック１７は、環状フランジ３１または縦フランジ３２の孔３３に係合することができる。
【００２５】
この実施形態において、第１足場１０は、消波ブロック成形用型枠２への係合手段として、環状フランジ３１に係合可能な嵌合部１３ａと、縦フランジ３２に係合可能な凹部１４ｄと、孔３３に係合可能なフック１７とを備える。したがって、少なくともいずれかひとつの係合手段または二つ以上の係合手段を用いて第１足場１０を消波ブロック成形用型枠３に係合することができ、十分な安全性を確保することができる。すなわち、いずれかひとつの係合手段が消波ブロック成形用型枠３との寸法関係等で係合不能であったとしても、他の係合手段によって係合可能とすることができる。また、第２足場２０においても、可撓性の連結部材２２を用いることによって、種々の寸法、形状の消波ブロック成形用型枠３に取付けることができる。
【００２６】
この実施形態における足場装置１において、各部材の寸法は適宜変更可能である。また、材料についてもこの分野で用いられる種々の材料を適宜選択可能である。
【符号の説明】
【００２７】
１    足場装置
３    消波ブロック成形用型枠
１０    第１足場
１１    支柱
１１ａ  上端部
１１ｂ  下端部
１２    第１踏桟
１３ａ  嵌合部
１４    踏板
１４ａ  近位縁
１４ｂ  遠位縁
１４ｄ  凹部
１５    紐状部材
１７    フック
２１    梯子部材
２２    連結部材
２３    内側支柱
２４    外側支柱
２５    第２踏桟
２６    ストッパ
【図１】
2019019578.tif 000003
【図２】
2019019578.tif 000004
【図３】
2019019578.tif 000005
【図４】
2019019578.tif 000006
【図５】
2019019578.tif 000007
【図６】
2019019578.tif 000008